(57)【特許請求の範囲】
【請求項１】
商品の最低販売価格を含む第１の情報の登録を受付け、
前記最低販売価格以外の前記第１の情報の少なくとも一部を、販売期間とともに第１のＷＥＢページに表示し、
前記第１のＷＥＢページまたは前記第１のＷＥＢページからリンクされた第２のＷＥＢページにおいて、前記販売期間内に、所定の提示回数まで、購入価格の提示を受付け、
受付けた前記購入価格が前記最低販売価格を超える場合に、行使すること無く保持可能であって、該購入価格で前記商品を購入する権利を付与し、
前記権利の付与後であっても、前記購入価格の再提示を前記所定の提示回数まで受付け可能である
ことを特徴とするサーバ装置。
【請求項２】
請求項１に記載のサーバ装置であって、複数回の提示がなされた、前記最低販売価格を超えた前記購入価格の中で、最も安い購入価格で前記商品を購入する権利を付与することを特徴とするサーバ装置。
【請求項３】
請求項１または請求項２に記載のサーバ装置であって、前記第１のＷＥＢページを介した前記商品の販売において該商品の残存点数が０に達するときに、前記購入価格での前記商品を購入する権利を消失させることを特徴とするサーバ装置。
【請求項４】
請求項１から請求項３のいずれか１項に記載のサーバ装置であって、前記販売期間を前記第１の情報として登録可能であることを特徴とするサーバ装置。
【請求項５】
請求項１から請求項４のいずれか１項に記載のサーバ装置であって、前記提示回数を前記第１の情報として登録可能であることを特徴とするサーバ装置。
【請求項６】
請求項１から請求項５のいずれか１項に記載のサーバ装置であって、前記第１の情報の登録の受付け後に、前記最低販売価格の変更登録が可能であることを特徴とするサーバ装置。
【請求項７】
請求項１から請求項５のいずれか１項に記載のサーバ装置であって、前記購入価格、前記購入価格の提示数、前記第１のＷＥＢページを介した前記商品の販売の売上金および売上点数、前記第１のＷＥＢページを介した前記商品の販売における残存点数、第１の情報の登録の受付時からの経過時間、ならびに前記販売期間の終期までの期間の少なくとも一つに応じて、前記最低販売価格を変動させることを特徴とするサーバ装置。
【請求項８】
請求項７に記載のサーバ装置であって、
前記商品の売上目標額を、第１の情報として登録可能であり、
前記最低販売価格を、前記売上金、前記売上点数、および前記残存点数に基づいて、前記商品の売上額が前記売上目標額に近付くように、増加させる
ことを特徴とするサーバ装置。
【請求項９】
請求項７に記載のサーバ装置であって、
前記売上点数および前記経過時間に基づいて定められる売上速度に対する閾値を、前記第１の情報として登録可能であって、
前記最低販売価格を、前記売上速度が前記閾値を超えるときに、増加させる
ことを特徴とするサーバ装置。
【請求項１０】
請求項７に記載のサーバ装置であって、前記購入価格に基づいてヒストグラムを作成し、最頻値である前記購入価格に前記最低販売価格を近付けることを特徴とするサーバ装置。
【請求項１１】
請求項７に記載のサーバ装置であって、現時点から前記販売期間の終期までの期間が所定の期間未満であって前記残存点数が所定の個数を超えているときに、前記最低販売価格を減少させることを特徴とするサーバ装置。
【請求項１２】
請求項７から請求項１１のいずれか１項に記載のサーバ装置であって、前記最低販売価格の変動範囲を、前記第１の情報として登録可能であることを特徴とするサーバ装置。
【請求項１３】
サーバ装置に、
商品の最低販売価格を含む第１の情報の登録を受付けさせ、
前記最低販売価格以外の前記第１の情報の少なくとも一部を、販売期間とともに第１のＷＥＢページに表示させ、
前記第１のＷＥＢページまたは前記第１のＷＥＢページからリンクされた第２のＷＥＢページにおいて、前記販売期間内に、所定の提示回数まで、購入価格の提示を受付けさせ、
受付けた前記購入価格が前記最低販売価格を超える場合に、行使すること無く保持可能であって、該購入価格で前記商品を購入する権利を付与させ、
前記権利の付与後であっても、前記購入価格の再提示を前記所定の提示回数まで受付け可能である
ことを特徴とするプログラム。
【発明の詳細な説明】
【技術分野】
【０００１】
本発明は、インターネットなどのネットワークを介した電子商取引に用いるサーバ装置およびプログラムに関する。
【背景技術】
【０００２】
従来、インターネットなどのネットワークを介した電子商取引が行われている。従来の電子商取引では、定額販売、オークション、および共同購入などが取引方法として採用されている（特許文献１、特許文献２参照）。
【先行技術文献】
【特許文献】
【０００３】
【特許文献１】特開２０１２−０７９０７７号公報
【特許文献１】特開２００７−１１５０４７号公報
【発明の概要】
【発明が解決しようとする課題】
【０００４】
定価販売を採用する場合には、商品の定価を高く設定すると他の販売者に対して競争力を失い、商品の定価を低く設定すると利益の低下およびブランドイメージが低下する可能性が生じる。ネットオークションを採用する場合には、販売機会を損失することなく利益の最大化を追求できるが、同一品種の大量販売には不適である。さらに、購入が確定するまでに時間もかかるためユーザにとって不便である。共同購入を採用する場合には、受付期間が設定され、当該受付期間が終了するまで商品が発送されないことが一般的である。そのため、早急な発送を望むユーザには不便である。このように、従来の電子商取引における取引方法では、販売単価の最大化を目指しながら、商品毎の売上点数を高くすることは困難であった。
【０００５】
したがって、かかる事情に鑑みてなされた本発明の目的は、販売単価の最大化を目指しながら商品毎の売上点数を高くする新規な電子商取引方法を提供可能なサーバ装置およびプログラムを提供することにある。
【課題を解決するための手段】
【０００６】
上述した諸課題を解決すべく、第１の観点によるサーバ装置は、
商品の最低販売価格を含む第１の情報の登録を受付け、
最低販売価格以外の第１の情報の少なくとも一部を、販売期間とともに第１のＷＥＢページに表示し、
第１のＷＥＢページまたは第１のＷＥＢベージからリンクされた第２のＷＥＢページにおいて、販売期間内に、所定の提示回数まで、購入価格の提示を受付け、
受付けた購入価格が最低販売価格を超える場合に、該購入価格で商品を購入する権利を付与する
ことを特徴とするものである。
【０００７】
また、当該サーバ装置は、
複数回の提示がなされた、最低販売価格を超えた購入価格の中で、最も安い購入価格で商品を購入する権利を付与する
ことが好ましい。
【０００８】
また、当該サーバ装置は、
第１のＷＥＢページを介した商品の販売において該商品の残存点数が０に達するときに、購入価格での商品を購入する権利を消失させる
ことが好ましい。
【０００９】
また、当該サーバ装置は、
販売期間を第１の情報として登録可能である
ことが好ましい。
【００１０】
また、当該サーバ装置は、
提示回数を第１の情報として登録可能である
ことが好ましい。
【００１１】
また、当該サーバ装置は、
第１の情報の登録の受付け後に、最低販売価格の変更登録が可能である
ことが好ましい。
【００１２】
また、当該サーバ装置は、
購入価格、購入価格の提示数、第１のＷＥＢページを介した商品の販売の売上金および売上点数、第１のＷＥＢページを介した商品の販売における残存点数、第１の情報の登録の受付時からの経過時間、ならびに販売期間の終期までの期間の少なくとも一つに応じて、最低販売価格を変動させる
ことが好ましい。
【００１３】
また、当該サーバ装置は、
商品の売上目標額を、第１の情報として登録可能であり、
最低販売価格を、売上金、売上点数、および残存点数に基づいて、商品の売上額が売上目標額に近付くように、増加させる
ことが好ましい。
【００１４】
また、当該サーバ装置は、
売上点数および経過時間に基づいて定められる売上速度に対する閾値を、第１の情報として登録可能であって、
最低販売価格を、売上速度が閾値を超えるときに、増加させる
ことが好ましい。
【００１５】
また、当該サーバ装置は、
購入価格に基づいてヒストグラムを作成し、最頻値である購入価格に最低販売価格を近付ける
ことが好ましい。
【００１６】
また、当該サーバ装置は、
現時点から前記販売期間の終期までの期間が所定の期間未満であって残存点数が所定の個数を超えているときに、最低販売価格を減少させる
ことが好ましい。
【００１７】
また、当該サーバ装置は、
最低販売価格の変動範囲を、第１の情報として登録可能である
ことが好ましい。
【００１８】
上述したように本発明の解決手段をシステムとして説明してきたが、本発明はこれらに実質的に相当する方法、プログラム、プログラムを記録した記憶媒体としても実現し得るものであり、本発明の範囲にはこれらも包含されるものと理解されたい。
【００１９】
また、上述した諸課題を解決すべく、第１の観点によるプログラムは、
サーバ装置に、
商品の最低販売価格を含む第１の情報の登録を受付けさせ、
最低販売価格以外の第１の情報の少なくとも一部を、販売期間とともに第１のＷＥＢページに表示させ、
第１のＷＥＢページまたは第１のＷＥＢベージからリンクされた第２のＷＥＢページにおいて、販売期間内に、所定の提示回数まで、購入価格の提示を受付けさせ、
受付けた購入価格が最低販売価格を超える場合に、該購入価格で商品を購入する権利を付与させる
ことを特徴とするものである。
【発明の効果】
【００２０】
上記のように構成された本発明に係るサーバ装置およびプログラムによれば、販売単価の最大化を目指しながら商品毎の売上点数を高くする新規な電子商取引方法を提供可能である。
【図面の簡単な説明】
【００２１】
【図１】本実施形態に係るサーバ装置を有する情報通信システムの概略構成を示す構成図である。
【図２】図１のサーバ装置により作成される登録ページである。
【図３】サーバ装置により作成される商品リストページである。
【図４】サーバ装置により作成される第１のＷＥＢページである。
【図５】サーバ装置により作成される結果発表ページである。
【図６】サーバ装置により作成される購入確定ページである。
【図７】サーバ装置が実行する第１の情報登録処理を示すフローチャートである。
【図８】サーバ装置が実行する販売サービス提供処理を示すフローチャートである。
【図９】サーバ装置が実行する第１のＷＥＢページ表示のサブルーチンを示すフローチャートである。
【図１０】サーバ装置が実行する結果発表ページ表示のサブルーチンを示すフローチャートである。
【図１１】サーバ装置が実行する購入確定ページ表示のサブルーチンを示すフローチャートである。
【図１２】サーバ装置が実行する第１の自動調整処理を示すフローチャートである。
【図１３】サーバ装置が実行する第２の自動調整処理を示すフローチャートである。
【図１４】サーバ装置が実行する第３の自動調整処理を示すフローチャートである。
【図１５】サーバ装置が実行する第４の自動調整処理を示すフローチャートである。
【発明を実施するための形態】
【００２２】
以下、本発明の実施形態について、図面を参照して説明する。
【００２３】
まず、本発明の一実施形態に係るサーバ装置を有する情報通信システムについて説明する。図１は、本実施形態に係るサーバ装置を有する情報通信システムの概略構成を示す構成図である。
【００２４】
図１に示すように、本実施形態に係るサーバ装置を有する情報通信システム１０は、通信ネットワーク１１、サーバ装置１２、複数のユーザ端末１３、および複数の基地局１４を含んで構成される。
【００２５】
通信ネットワーク１１は、サーバ装置１２、複数のユーザ端末１３、および複数の基地局  間において、多様な情報を通信するネットワークである。
【００２６】
サーバ装置１２は、販売者、または代行者によって管理されるサーバであって、当該販売者が取扱う多様な商品の売買に用いる販売ＷＥＢサイトに関する各種情報を処理する。例えば、サーバ装置１２は、販売ＷＥＢサイトにおける、商品の最低販売価格および当該商品の識別情報を含む第１の情報の登録を受付ける。また、サーバ装置１２は、販売ＷＥＢサイトにおける第１のＷＥＢページに、商品の最低販売価格以外の第１の情報の少なくとも一部を掲載する。また、サーバ装置１２は、販売ＷＥＢサイトにおいて、ユーザ端末１３からの商品の購入価格を受付ける。また、サーバ装置１２は、受付けた購入価格で商品を販売するか否かを判別する。またサーバ装置１２は、受付けた購入価格で商品を販売すると判別したユーザ端末１３に購入する権利を付与する。
【００２７】
ユーザ端末１３は、例えば、パーソナルコンピュータ、ＰＤＡ（Ｐｅｓｏｎａｌ  Ｄｉｇｉｔａｌ  Ａｓｓｉｓｔａｎｔ）、スマートフォンなどであって、販売ＷＥＢサイトを利用可能な、ユーザの端末装置である。ユーザ端末１３は、ユーザからの操作に基づいて、サーバ装置１２にアクセス可能である。ユーザ端末１３はブラウザを組込んでおり、サーバ装置１２から受信する第１のＷＥＢページを表示する。なお、ユーザ端末１３がスマートフォンなどのような無線通信端末である場合には、基地局１４を介して、通信ネットワーク１１と接続する。
【００２８】
次に、販売ＷＥＢサイトについて、説明する。販売ＷＥＢサイトは、販売者の取扱商品の登録、掲載、および商品の販売を実行する。このような目的のために、販売ＷＥＢサイトは、登録ページ、商品リストページ、第１のＷＥＢページ、結果発表ページ、および購入確定ページを有する。なお、登録ページは、販売者のみが閲覧可能なページである。また、商品リストページ、第１のＷＥＢページ、結果発表ページ、および購入確定ページは、販売ＷＥＢサイトを利用した商品の購入希望者も、ユーザ端末１３を用いて、閲覧可能である。
【００２９】
販売者はサーバ装置１２において、直接、登録ページを閲覧可能である。販売者は、登録ページにおいて、以下に説明する商品の識別情報、ユーザ提供情報、価格情報、および販売管理情報を、各商品の第１の情報として登録可能である。販売者は、例えば図２に示すような登録ページ１５に第１の情報を入力して、登録ボタンアイコン１６に入力すると、サーバ装置１２、第１の情報を販売ＷＥＢサイトに登録する。
【００３０】
登録ページ１５では、商品の識別情報としてＩＤおよび商品名を登録可能であって、ＩＤ欄１７および商品名欄１８が表示される。また、登録ページ１５では、ユーザ提供情報として商品の紹介文、写真、および希望小売価格を登録可能であって、紹介文欄１９、写真登録欄２０、および希望小売価格欄２１が表示される。また、登録ページ１５では、価格情報として商品の最低販売価格、自動調整方法、および価格変動範囲を登録可能であって、最低販売価格欄２２、調整方法欄２３、および変動範囲欄２４が表示される。また、登録ページ１５には、販売管理情報として商品の販売期間、販売する商品点数、提示回数、第１のキャンペーンの実行の可否、第１のキャンペーンを実行する際のキャンペーン価格範囲、販売個数および実施期間、ならびに第２のキャンペーンの実行の可否、第２のキャンペーンを実行する際のキャンペーン価格、提供数、および実施期間を登録可能であって、販売期間欄２５、商品点数欄２６、提示回数欄２７、第１のキャンペーン実行欄２８、キャンペーン価格範囲欄２９、販売個数欄３０、実施期間欄３１、第２のキャンペーン実行欄３２、キャンペーン価格欄３３、提供数欄３４、および実施期間欄３５が表示される。
【００３１】
登録ページ１５における商品の登録後から販売期間が満了するまで、後述するように、サーバ装置１２は、ユーザによる購入価格などの情報および商品の売上などのマーケット情報の元情報を蓄積し、元情報および元情報に基づいて作成したマーケット情報を販売者に提供可能である。販売者は、提供される情報などに基づいて、商品の登録後に登録ページにおいて最低販売価格の変更登録が可能である。また、後述するように、サーバ装置１２は、登録ページ１５の調整方法欄２３において選択した調整方法の一部では、作成したマーケット情報に基づいて、最低販売価格を自動的に変更する。なお、最低販売価格の調整後には、購入価格の提示を行ったユーザに対して、提示可能回数がリセットされる。
【００３２】
一般ユーザは、ユーザ端末１３からサーバ装置１２にアクセスすることにより商品リストページを閲覧可能である。商品リストページにおいては、販売者が登録した取扱商品のリストが表示される。
【００３３】
例えば、図３に示すように、商品リストページ３６では、登録されている商品のリストが表示される。なお、商品リストページ３６は、商品の種類毎に作成することも可能である。商品リストページ３６では、商品の写真３７、商品名３８、販売期間３９、購入権情報４０、購入ボタンアイコン４１、提示回数情報４２、およびＨＯＷ  ＭＵＣＨボタンアイコン４３が、各商品に対して表示される。
【００３４】
商品の写真３７、商品名３８、および販売期間３９は、登録ページ１５において登録された写真、商品名、および販売期間である。購入権情報４０は、ユーザによる当該商品を購入する権利の有無および購入価格である。購入ボタンアイコン４１は購入する権利を有する場合にアクティブとなり、ユーザが購入ボタンアイコン４１に入力すると、ユーザ端末１３の表示画像は購入確定ページに遷移する。提示回数情報４２は、各ユーザによる当該商品の購入価格の提示可能回数である。提示可能回数は、登録ページ１５において登録した提示回数を最大として、購入価格を提示するたびに減少する。ＨＯＷ  ＭＵＣＨボタンアイコン４３は提示可能回数が１回以上であるときにアクティブとなり、ユーザがＨＯＷ  ＭＵＣＨボタンアイコン４３に入力すると、ユーザ端末１３の表示画像は第１のＷＥＢページに遷移する。
【００３５】
第１のＷＥＢページは、販売ＷＥＢサイトにおける、識別情報およびユーザ提供情報の表示により、商品リストページ３６に記載された単独の商品を紹介するページである。また、第１のＷＥＢページは、販売管理情報の表示により当該商品の販売状況を提供するとともに、ユーザの希望する購入価格の登録を行うページである。
【００３６】
図４に示すように、第１のＷＥＢページ４４には、識別情報およびユーザ提供情報として商品の写真３７、ＩＤ４５、商品名３８、商品の紹介文４６、および希望小売価格４７が表示される。なお、写真３７、ＩＤ４５、商品名３８、商品の紹介文４６、および希望小売価格４７は、登録ページ１５において登録された写真、ＩＤ、商品名、商品の紹介文、および希望小売価格である。
【００３７】
また、第１のＷＥＢページ４４には、ユーザの希望する購入価格を登録する購入価格欄４８、提示ボタンアイコン４９、購入権情報４０、購入ボタンアイコン４１、提示回数情報４２、販売期間３９、および残存点数５０が表示される。購入価格欄４８にユーザの希望する購入価格を入力可能であり、購入価格を入力した状態で、提示ボタンアイコン４９に入力することにより、希望する購入価格が販売ＷＥＢサイトに提示され、登録される。購入価格の登録と同時に、ユーザ端末１３の表示画像は結果発表ページに遷移する。第１のＷＥＢページ４４における購入権情報４０、購入ボタンアイコン４１、提示回数情報４２、および販売期間３９は、商品リストページ３６における購入権情報、購入ボタンアイコン、提示回数情報、および販売期間と同じである。残存点数５０は、残りの商品点数であって、登録ページ１５において登録された商品点数から現時点において販売が確定した商品点数を減じた数である。
【００３８】
なお、本実施形態では、第１のＷＥＢページ４４の購入価格欄４８に購入価格を入力して提示ボタンアイコン４９への入力により、購入価格の提示を行う構成であるが、このような構成に限定されない。例えば、第１のＷＥＢページ４４からリンクされる第２のＷＥＢページにおいて購入価格を提示する構成であってもよい。
【００３９】
結果発表ページにおいては、第１のＷＥＢページ４４においてユーザが提示した購入価格で当該商品を購入可能であるか否かが表示される。例えば、図５に示すように、結果発表ページ５１には、商品の識別情報およびユーザ提供情報５２、購入権情報４０、購入ボタンアイコン４１、戻るボタンアイコン５２、提示回数情報４２、販売期間３９、および残存点数５０とともに、結果発表情報５３が表示される。結果発表ページ５１における商品の識別情報およびユーザ提供情報５２、購入権情報４０、購入ボタンアイコン４１、提示回数情報４２、販売期間３９、ならびに残存点数５０は、第１のＷＥＢページ４４における商品の識別情報およびユーザ提供情報、購入権情報、購入ボタンアイコン、回数情報、販売期間、ならびに残存点数と同じである。
【００４０】
結果発表情報５３は、第１のＷＥＢページ４４において提示した購入価格が、登録ページ１５において登録した最低販売価格以上であるか否かに応じて変わる。購入価格が最低販売価格以上であるときには、購入権がユーザに付与され“有難うございます。あなたは、本商品を登録価格”ｘｘｘｘｘｘ“円で購入する権利を得ました。”のメッセージが、結果発表情報５３として表示される。なお、ユーザは付与された購入権を行使することなく保持することが可能であるが、販売期間が満了するとき或いは商品の残存点数がゼロになるときに購入権は消失する。購入価格が最低販売価格未満であるときには、購入権が付与されず、“残念ですが、あなたの希望する購入価格では、本商品を販売できません。”のメッセージが、結果発表情報５３として表示される。
【００４１】
購入確定ページにおいては、販売ＷＥＢサイトから付与された購入権の購入条件で商品の購入の確認および商品の支払方法などを、ユーザは入力可能である。例えば、図６に示すように、購入確定ページ５４には、注文番号５５、受付日時５６、写真３７、商品名３８、購入数量５７、購入価格５８が表示される。また、購入確定ページには、購入者氏名欄５９、送付先住所欄６０、電話番号欄６１、および支払い方法欄６２が表示される。ユーザは、購入者氏名欄５９に自身の氏名を、送付先住所欄６０に商品の送付を希望する住所を、電話番号欄６１に自身の電話番号を入力可能である。また、ユーザは、支払い方法欄６２において、例えば、振込み、クレジットカード、および代引きの中から、支払い方法を選択可能である。さらに、購入確定ページ５４の下方には、確定ボタンアイコン６３および戻るボタンアイコン６４が表示される。ユーザが確定ボタンアイコン６３に入力すると、商品の購入を確定させる。ユーザが戻るボタンアイコン６４に入力すると、ユーザ端末１３の表示画面を商品リストページ、第１のＷＥＢページ、および結果発表ページのいずれかに遷移させる。
【００４２】
次に、サーバ装置１２におけるマーケット情報の元情報の蓄積または検出と、元情報に基づくマーケット情報の作成と、マーケット情報に基づく最低販売価格の自動設定とについて以下に説明する。
【００４３】
サーバ装置１２は、多様なユーザからのユーザ端末１３を介して提示された購入価格を、元情報の一部として蓄積する。また、サーバ装置１２は、購入価格が提示される回数をカウントし、購入価格の提示数を、元情報の一部として蓄積する。また、サーバ装置１２は、第１のＷＥＢページ４４を介した商品の販売による販売者の売上金および売上点数を算出して、元情報の一部として蓄積する。また、サーバ装置１２は、残存点数を、元情報の一部として検出する。また、サーバ装置１２は、登録ページ１５における第１の情報の登録の受付時からの経過時間を、元情報の一部として検出する。また、サーバ装置１２は、現時点から販売期間の終期までの期間を、元情報の一部として検出する。
【００４４】
サーバ装置１２は、上述の元情報に基づいて、販売者に提供可能なマーケット情報を作成する。例えば、サーバ装置１２は、後述するように登録された売上目標額から、売上金および売上点数の積を減じ、その差を残存点数で割ることにより、目標売上達成のための販売価格を、マーケット情報として算出する。また、サーバ装置１２は、売上点数を経過時間で割ることにより売上速度をマーケット情報として算出する。また、サーバ装置１２は、提示された購入価格および提示回数に基づいて、購入価格の度数分布をマーケット情報として作成する。また、サーバ装置１２は、残存点数をマーケット情報として抽出する。
【００４５】
前述のように、サーバ装置１２は作成したこれらのマーケット情報を、販売者に提供可能である。なお、マーケット情報は、グラフ、表、または数値として提供可能である。
【００４６】
また、前述のように、サーバ装置１２は、作成したマーケット情報に基づいて、最低販売価格を自動的に変更することが可能である。登録ページ１５における調整方法欄２３では、“目標売上追求”、“売れ筋値上げ”、“度数最大化”、および“在庫処分”のいずれかをマーケット情報に基づく自動調整方法として選択可能であり、サーバ装置１２は登録される変動範囲内で、最低販売価格を調整する。なお、調整方法欄では“調整無し”を選択することも可能であり、サーバ装置１２は、登録ページ１５に登録した最低販売価格を維持する。
【００４７】
“目標売上追求”が選択されると、サーバ装置１２は登録ページ１５において目標売上額の登録を求める。サーバ装置１２は、登録した目標売上額を用いて、前述の目標売上達成のための販売価格を算出する。サーバ装置１２は、変動範囲内において最低販売価格を、算出した目標売上達成のための販売価格に近付ける。
【００４８】
“売れ筋値上げ”が選択されると、サーバ装置１２は登録ページ１５において売上速度閾値の登録を求める。サーバ装置１２は、マーケット情報として算出した売上速度が売上速度閾値を超えるか否かを判別する。さらに、サーバ装置１２は、変動範囲内において、売上速度が売上速度閾値以下になるように最低販売価格の調整をフィードバック制御する。あるいは、サーバ装置１２は、変動範囲内において、単に最低販売価格を増加させる構成であってもよい。
【００４９】
“度数最大化”が選択されると、サーバ装置１２は、変動範囲内において最低販売価格を、マーケット情報として作成した購入価格の度数分布において最頻値である購入価格に近付ける。
【００５０】
“在庫処分”が選択されると、サーバ装置１２は、現時点から販売期間の終期までの期間が所定の期間未満で、かつ残存点数が所定の個数を超えているか否かを判別する。当該期間が所定の期間未満で、残存点数が所定の個数を超えている場合に、サーバ装置１２は、変動範囲内において最低販売価格を、マーケット情報として作成した購入価格の度数分布において残存点数を販売可能な価格に近付ける。
【００５１】
次に、サーバ装置１２が実行可能な、第１のキャンペーンおよび第２のキャンペーンについて説明する。
【００５２】
第１のキャンペーンにおいて、サーバ装置１２は、短期間、通常の最低販売価格より低い価格範囲で、限定個数だけの販売キャンペーンを実行する。第１のキャンペーン実行欄２８において“実行”が選択されると、サーバ装置１２は、登録した第１のキャンペーン期間の始期に、キャンペーン価格範囲の下限値を最低販売価格に定め、上限値を最高販売価格に定める。サーバ装置１２は、販売個数がゼロになるか、または第１のキャンペーン期間の終期に達するまで、キャンペーン価格範囲内の購入価格を提示したユーザに当該購入価格で商品を購入する権利を付与する。第１のキャンペーンを終えると、サーバ装置１２は最低販売価格を元の価格に戻す。
【００５３】
第２のキャンペーンにおいて、サーバ装置１２は、短期間、販売者が登録するキャンペーン価格を当てるクイズサービスを提供する。第２のキャンペーン実行欄３２において“実行”が選択されると、サーバ装置１２は、登録した第２のキャンペーン期間の始期に、第１のＷＥＢページ４４において、キャンペーン価格を回答するための価格欄を表示する。サーバ装置１２は、ユーザ端末１３による価格欄に入力された価格とキャンペーン価格欄３３に登録された価格が一致するかを判別する。一致するときには、サーバ装置１２は、ユーザに特典を付与する。なお、特典は販売者が定めることが可能であり、例えば、送料無料、販売ＷＥＢサイトで使用可能な金銭的ポイント、および商品へのサンプルなどが挙げられる。
【００５４】
次に、サーバ装置１２が実行する第１の情報登録処理について、図７のフローチャートを用いて説明する。第１の情報登録処理は、新規に商品の第１の情報の登録を開始するユーザの操作をサーバ装置１２が当該入力を検知するときに開始する。
【００５５】
ステップＳ１００において、サーバ装置１２は、サーバ装置１２のディスプレイに登録ページ  を表示する。登録ページを表示すると、プロセスはステップＳ１０１に進む。
【００５６】
ステップＳ１０１に置いて、サーバ装置１２は、調整方法欄２３において調整方法の選択があるか否かを判別する。“目標売上追求”が調整方法として選択されたときに、プロセスはステップＳ１０２に進む。“売れ筋値上”が調整方法として選択されたときに、プロセスはステップＳ１０３に進む。他の調整方法が選択されたときには、プロセスはステップＳ１０４に進む。
【００５７】
ステップＳ１０２では、サーバ装置１２は、登録ページ１５に目標売上額を入力する欄を表示させ、目標売上額の登録を要求する。登録の要求後、プロセスはステップＳ１０４に進む。
【００５８】
ステップＳ１０３では、サーバ装置１２は、登録ページ１５に売上速度閾値を入力する欄を表示させ、売上速度閾値の登録を要求する。登録の要求後、プロセスはステップＳ１０４に進む。
【００５９】
ステップＳ１０４では、サーバ装置１２は、登録ボタンアイコン１６への入力の有無を判別する。入力が無いときには、プロセスはステップＳ１０１に戻る。入力があるときには、プロセスはステップＳ１０５に進む。
【００６０】
ステップＳ１０５では、サーバ装置１２は、必須入力項目すべてへの入力がなされているか否かを判別する。例えば、識別情報、最低販売価格、販売期間、商品点数、および提示可能回数が必須入力項目である。必須入力項目すべてへの入力が完了していないときには、プロセスはステップＳ１０６に進む。必須入力項目すべてへの入力が完了しているときには、プロセスはステップＳ１０７に進む。
【００６１】
ステップＳ１０６では、サーバ装置１２は、入力のされていない必須入力項目への入力を求めるメッセージをディスプレイに表示する。メッセージの表示後、プロセスは、ステップＳ１０１に戻る。
【００６２】
ステップＳ１０７では、サーバ装置１２は、登録ページ１５に入力された第１の情報を、サーバ装置１２が有する、または通信ネットワークを介して通信可能なデータベースに登録する。データベースへの登録を終了すると、第１の情報登録処理を終了する。
【００６３】
次に、サーバ装置１２が実行するユーザ端末１３への販売サービス提供処理について、図８のフローチャートを用いて説明する。販売サービス提供処理は、ユーザ端末１３が販売ＷＥＢサイトにアクセスするときに開始する。販売サービス提供処理は、ユーザ端末１３からのアクセスが切断するときに終了する。
【００６４】
ステップＳ２００において、サーバ装置１２は、ユーザを認識する。ユーザ認識には、サーバ装置１２は、ユーザＩＤの入力および使用するユーザ端末１３のＩＤの自動送信などの公知の方法を用いる。ユーザを認識すると、プロセスはステップＳ２０１に進む。
【００６５】
ステップＳ２０１では、サーバ装置１２は、ステップＳ２００において認識したユーザによる、販売ＷＥＢサイトの取扱商品毎の購入する権利および価格の提示回数を、データベースから読出す。これらのユーザデータを読出すと、プロセスはステップＳ２０２に進む。
【００６６】
ステップＳ２０２では、サーバ装置１２は、ステップＳ２０２において、データベースに登録された商品の第１の情報の中で、商品リストページ３６を作成するのに必要な一部の情報を読出す。一部の情報を読出すと、プロセスはステップＳ２０３に進む。
【００６７】
ステップＳ２０３では、サーバ装置１２は、ステップＳ２０１で読出したユーザデータおよびステップＳ２０２で読出した第１の情報の一部に基づいて、商品リストページ３６を作成する。サーバ装置１２は、作成した商品リストページ３６をデータとしてユーザ端末１３に送信し、ユーザ端末１３の表示画面を商品リストページ３６に遷移させる。商品リストページ３６の作成後、プロセスはステップＳ２０４に進む。
【００６８】
ステップＳ２０４では、サーバ装置１２は、ユーザ端末１３におけるいずれかの商品のボタンアイコンへの入力の有無を判別する。なお、前述のように、購入する権利を有していない商品および購入する権利を消失した商品については、購入ボタンアイコン４１への入力は不可である。また、前述のように、提示可能回数が０回である商品については、ＨＯＷ  ＭＵＣＨボタンアイコン４３への入力は不可である。ＨＯＷ  ＭＵＣＨボタンアイコン４３への入力があるときには、プロセスはステップＳ３００に進む。購入ボタンアイコン４１への入力があるときには、プロセスはステップＳ５００に進む。いずれのボタンアイコンへの入力が無いときには、プロセスはステップ２０４を繰返す。
【００６９】
ステップＳ３００では、サーバ装置１２は、後に説明する、第１のＷＥＢページ表示のサブルーチンを実行する。第１のＷＥＢページ表示のサブルーチンの実行後、プロセスはステップＳ２０１に戻る。
【００７０】
ステップＳ５００では、サーバ装置１２は、後に説明する、購入確定ページ表示のサブルーチンを実行する。購入確定ページ表示のサブルーチンの実行後、プロセスはステップＳ２０１に戻る。
【００７１】
次に、サーバ装置１２が実行する第１のＷＥＢページ表示のサブルーチン（Ｓ３００）について、図９のフローチャートを用いて説明する。
【００７２】
第１のＷＥＢページ表示のサブルーチン（Ｓ３００）を開始すると、ステップＳ３０１において、サーバ装置１２は、第１のＷＥＢページ４４の表示対象となる商品に関する、ユーザによる、購入する権利および価格の提示回数を、データベースから読出す。これらのユーザデータを読出すと、プロセスはステップＳ３０２に進む。
【００７３】
ステップＳ３０２では、サーバ装置１２は、第１のＷＥＢページ４４の表示対象となる商品に関する第１の情報をデータベースから読出す。第１の情報を読出すと、プロセスはステップＳ３０３に進む。
【００７４】
ステップＳ３０３では、サーバ装置１２は、ステップＳ３０１において読出したユーザデータおよびステップＳ３０２において読出した第１の情報に基づいて、第１のＷＥＢページ４４を作成する。サーバ装置１２は、作成した第１のＷＥＢページ４４をデータとしてユーザ端末１３に送信し、ユーザ端末１３の表示画面を第１のＷＥＢページ４４に遷移させる。第１のＷＥＢページ４４の作成後、プロセスはステップＳ３０４に進む。
【００７５】
ステップＳ３０４では、サーバ装置１２は、ユーザ端末１３から購入価格の提示があるか否かを判別する。購入価格が提示されるときには、プロセスはステップＳ３０５に進む。購入価格が提示されていないときには、プロセスはステップＳ３０６に進む。
【００７６】
ステップＳ３０５では、サーバ装置１２は、ステップＳ３０４において提示された購入価格をユーザデータとして登録し、また元情報としてデータベースに蓄積する。購入価格の登録後、プロセスはステップＳ４００に進む。
【００７７】
ステップＳ４００では、サーバ装置１２は、後に説明する、結果発表ページ表示のサブルーチンを実行する。結果発表ページ表示のサブルーチンの実行後、第１のＷＥＢページ表示のサブルーチンを終了する。
【００７８】
ステップＳ３０６では、サーバ装置１２は、ユーザ端末１３における購入ボタンアイコン４１への入力の有無を判別する。購入ボタンアイコン４１への入力が無いときには、プロセスはステップＳ３０４に戻る。購入ボタンアイコン４１への入力があるときには、プロセスはステップＳ５００に進む。
【００７９】
前述のように、ステップＳ５００では、サーバ装置１２は、後に説明する、購入確定ページ表示のサブルーチンを実行する。購入確定ページ表示のサブルーチンの実行後、第１のＷＥＢページ表示のサブルーチンを終了する。
【００８０】
次に、サーバ装置１２が実行する結果発表ページ表示のサブルーチン（Ｓ４００）について、図１０のフローチャートを用いて説明する。
【００８１】
結果発表ページ表示のサブルーチン（Ｓ４００）を開始すると、ステップＳ４０１において、サーバ装置１２は、結果発表ページ５１の表示対象となる商品に関する、ユーザによる、購入する権利および価格の提示回数を、データベースから読出す。これらのユーザデータを読出すと、プロセスはステップＳ４０２に進む。
【００８２】
ステップＳ４０２では、サーバ装置１２は、結果発表ページ５１の表示対象となる商品に関する第１の情報をデータベースから読出す。第１の情報を読出すと、プロセスはステップＳ４０３に進む。
【００８３】
ステップＳ４０３では、サーバ装置１２は、第１のＷＥＢページ表示のサブルーチンにおけるステップＳ３０５において登録した購入価格が、ステップＳ４０２において読出した最低販売価格以上であるか否かを判別する。購入価格が最低販売価格以上であるときには、プロセスはステップＳ４０４に進む。購入価格が最低販売価格未満であるときには、プロセスはステップＳ４０５に進む。
【００８４】
ステップＳ４０４では、サーバ装置１２は、結果発表情報として購入可能のメッセージ、すなわち、“有難うございます。あなたは、本商品を登録価格”ｘｘｘｘｘｘ“円で購入する権利を得ました。”を選択する。メッセージの選択後、プロセスはステップＳ４０６に進む。
【００８５】
ステップＳ４０５では、サーバ装置１２は、結果発表情報として購入不可のメッセージ、すなわち、“残念ですが、あなたの希望する購入価格では、本商品を販売できません。”を選択する。メッセージの選択後、プロセスはステップＳ４０６に進む。
【００８６】
ステップＳ４０６では、サーバ装置１２は、ステップＳ４０１において読出したユーザデータ、ステップＳ４０２において読出した第１の情報、およびステップＳ４０４またはステップＳ４０５において選択したメッセージに基づいて、結果発表ページ５１を作成する。サーバ装置１２は、作成した結果発表ページ５１をデータとしてユーザ端末１３に送信し、ユーザ端末１３の表示画面を結果発表ページ５１に遷移させる。結果発表ページ５１の作成後、プロセスはステップＳ４０７に進む。
【００８７】
ステップＳ４０７では、サーバ装置１２は、ユーザ端末１３における戻るボタンアイコン５２への入力の有無を判別する。戻るボタンアイコン５２への入力があるときに、プロセスはステップＳ３００に進む。戻るボタンアイコン５２への入力が無いときには、プロセスはステップＳ４０８に進む。
【００８８】
前述のように、ステップＳ３００では、サーバ装置１２は、後に説明する、第１のＷＥＢページ表示のサブルーチンを実行する。第１のＷＥＢページ表示のサブルーチンの実行後、結果発表ページ表示のサブルーチンを終了する。
【００８９】
ステップＳ４０７では、サーバ装置１２は、ユーザ端末１３における購入ボタンアイコン４１への入力の有無を判別する。購入ボタンアイコン４１への入力が無いときには、プロセスはステップＳ４０６に戻る。購入ボタンアイコン４１への入力があるときには、プロセスはステップＳ５００に進む。
【００９０】
前述のように、ステップＳ５００では、サーバ装置１２は、後に説明する、購入確定ページ表示のサブルーチンを実行する。購入確定ページ表示のサブルーチンの実行後、結果発表ページ表示のサブルーチンを終了する。
【００９１】
次に、サーバ装置１２が実行する購入確定ページ表示のサブルーチン（Ｓ５００）について、図１１のフローチャートを用いて説明する。
【００９２】
購入確定ページ表示のサブルーチン（Ｓ５００）を開始すると、ステップＳ５０１において、サーバ装置１２は、ユーザに付与された購入する権利における条件を掲載した購入確定ページ５４を作成する。サーバ装置１２は、作成した購入確定ページ５４をデータとしてユーザ端末１３に送信し、ユーザ端末１３の表示画面を購入確定ページ５４に遷移させる。購入確定ページ５４の作成後、プロセスはステップＳ５０２に進む。
【００９３】
ステップＳ５０２では、サーバ装置１２は、ユーザ端末１３における確定ボタンアイコン６３への入力の有無を判別する。確定ボタンアイコン６３への入力があるときに、プロセスはステップＳ５０３に進む。確定ボタンアイコン６３への入力が無いときに、プロセスはステップＳ５０３、Ｓ５０５をスキップして、ステップＳ５０６に進む。
【００９４】
ステップＳ５０３では、サーバ装置１２は、購入確定ページ５４における全入力項目への入力の有無を判別する。全入力項目への入力が未完であるときには、プロセスはステップＳ５０４に進む。全入力項目への入力が完了しているときには、プロセスはステップＳ５０５に進む。
【００９５】
ステップＳ５０４では、サーバ装置１２は、入力されていない項目への入力を要求するメッセージをユーザ端末１３に表示させる。メッセージの表示後、プロセスはステップＳ５０２に戻る。
【００９６】
ステップＳ５０５では、サーバ装置１２は、購入確定ページ５４において入力された購入条件および入力項目において商品の売買を確定する。また、サーバ装置１２は、確定した売買における売上金を元情報としてデータベースに蓄積する。売買の確定後、プロセスはステップＳ５０６に進む。
【００９７】
ステップＳ５０６では、サーバ装置１２は、ユーザ端末１３における戻るボタンアイコン６４への入力の有無を判別する。戻るボタンアイコン６４への入力が無いときには、プロセスはステップＳ５０２に戻る。戻るボタンアイコン６４への入力があるときには、購入確定ページ表示のサブルーチンを終了する。
【００９８】
次に、サーバ装置１２が実行する“目標売上追求”による第１の自動調整処理について、図１２のフローチャートを用いて説明する。第１の自動調整処理は、第１の情報登録処理において“目標売上追求”を選択された商品に対して、所定の周期で開始する。
【００９９】
ステップＳ６００において、サーバ装置１２は、対象となる商品の売上目標額をデータベースから読出す。売上目標額を読出すと、プロセスはステップＳ６０１に進む。
【０１００】
ステップＳ６０１では、サーバ装置１２は、売上金、売上点数、および残存点数をデータベースから読出す。これらの情報を読出すと、プロセスはステップＳ６０２に進む。
【０１０１】
ステップＳ６０２では、サーバ装置１２は、ステップＳ６００において読出した売上目標額から、ステップＳ６０１において読出した売上金と売上点数の積を減じ、減じた差をステップＳ６０１において読出した残存点数で割ることにより、目標売上達成のための販売価格を算出する。販売価格を算出すると、プロセスはステップＳ６０３に進む。
【０１０２】
ステップＳ６０３では、サーバ装置１２は、ステップＳ６０２において算出した販売価格が第１の情報登録処理において登録した最低販売価格を超えるか否かを判別する。超えるときは、プロセスはステップＳ６０４に進む。超えないときには、第１の自動調整処理を終了する。
【０１０３】
ステップＳ６０４では、サーバ装置１２は、ステップＳ６０２において算出した販売価格が第１の情報登録処理において登録した変動範囲の上限を超えるか否かを判別する。超えるときには、プロセスはステップＳ６０５に進む。超えないときには、プロセスはステップＳ６０６に進む。
【０１０４】
ステップＳ６０５では、サーバ装置１２は、最低販売価格を、変動範囲の上限に置換する。最低販売価格を置換すると、第１の自動調整処理を終了する。
【０１０５】
ステップＳ６０６では、サーバ装置１２は、最低販売価格を、ステップＳ６０２において算出した販売価格に置換する。最低販売価格を置換すると、第１の自動調整処理を終了する。
【０１０６】
次に、サーバ装置１２が実行する“売れ筋値上”による第２の自動調整処理について、図１３のフローチャートを用いて説明する。第２の自動調整処理は、第１の情報登録処理において“売れ筋値上”を選択された商品に対して、所定の周期で開始する。
【０１０７】
ステップＳ７００では、サーバ装置１２は、対象となる商品の売上速度閾値をデータベースから読出す。売上速度閾値を読出すと、プロセスはステップＳ７０１に進む。
【０１０８】
ステップＳ７０１では、サーバ装置１２は、売上点数および経過時間をデータベースから読出す。これらの情報を読出すと、プロセスはステップＳ７０２に進む。
【０１０９】
ステップＳ７０２では、サーバ装置１２は、ステップＳ７０１において読出した売上点数を経過時間で割ることにより、売上速度を算出する。売上速度を算出すると、プロセスはステップＳ７０３に進む。
【０１１０】
ステップＳ７０３では、サーバ装置１２は、ステップＳ７０２において算出した売上速度がステップＳ７００において読出した売上速度閾値を超えるか否かを判別する。超えるときには、プロセスはステップＳ７０４に進む。超えないときには、第２の自動調整処理を終了する。
【０１１１】
ステップＳ７０４では、サーバ装置１２は、最低販売価格を増額する。なお、増額は変動範囲内で行う。最低販売価格を増額すると、第２の自動調整処理を終了する。
【０１１２】
次に、サーバ装置１２が実行する“度数最大化”による第３の自動調整処理について、図１４のフローチャートを用いて説明する。第３の自動調整処理は、第１の情報登録処理において“度数最大化”を選択された商品に対して、所定の周期で開始する。
【０１１３】
ステップＳ８００において、サーバ装置１２は、対象とする商品に対して過去に提示された購入価格をデータベースから読出す。購入価格を読出すと、プロセスはステップＳ８０１に進む。
【０１１４】
ステップＳ８０１では、サーバ装置１２は、ステップＳ８００において読出した購入価格に基づいて、購入価格のヒストグラムを作成する。ヒストグラムを作成すると、プロセスはステップＳ８０２に進む。
【０１１５】
ステップＳ８０２では、サーバ装置１２は、ステップＳ８０１において作成したヒストグラムにおける最頻値を検出する。最頻値を検出すると、プロセスはステップＳ８０３に進む。
【０１１６】
ステップＳ８０３では、サーバ装置１２は、ステップＳ８０２において検出した最頻値が変動範囲内であるか否かを判別する。変動範囲内であるときには、プロセスはステップＳ８０４に進む。変動範囲外であるときには、プロセスはステップＳ８０５に進む。
【０１１７】
ステップＳ８０４では、サーバ装置１２は、最低販売価格を、ステップＳ８０２において検出した最頻値に置換する。最頻値に置換すると、第３の自動調整処理を終了する。
【０１１８】
ステップＳ８０５では、サーバ装置１２は、最低販売価格を、変動範囲の上限または下限に置換する。ステップＳ８０２において検出した最頻値が変動範囲の上限より大きいときには、サーバ装置１２は、最低販売価格を、変動範囲の上限に置換する。一方、当該最頻値が変動範囲の下限未満であるときには、サーバ装置１２は、最低販売価格を、変動範囲の下限に置換する。変動範囲の上限または下限に置換すると、第３の自動調整処理を終了する。
【０１１９】
次に、サーバ装置１２が実行する“在庫処分”による第４の自動調整処理について、図１５のフローチャートを用いて説明する。第４の自動調整処理は、第１の情報登録処理において“在庫処分”を選択された商品に対して、所定の周期で開始する。
【０１２０】
ステップＳ９００において、サーバ装置１２は、残存期間および残存点数をデータベースから読出す。これらの情報を読出すと、プロセスはステップＳ９０１に進む。
【０１２１】
ステップＳ９０１では、サーバ装置１２は、ステップＳ９００において読出した残存期間が所定の期間未満であるか否かを判別する。所定の期間未満であるときには、プロセスはステップＳ９０２に進む。所定の未満以上であるときには、第４の自動調整処理を終了する。
【０１２２】
ステップＳ９０２では、サーバ装置１２は、ステップＳ９００において読出した残存点数が所定の個数より多いか否かを判別する。所定の個数より多いときには、プロセスはステップＳ９０３に進む。所定の個数以下であるときには、第４の自動調整処理を終了する。
【０１２３】
ステップＳ９０３、Ｓ９０４では、サーバ装置１２は、第３の自動調整処理におけるステップＳ８００、Ｓ８０１と同じ処理を実行する。ステップＳ９０４におけるヒストグラムの作成後、プロセスはステップＳ９０５に進む。
【０１２４】
ステップＳ９０５では、サーバ装置１２は、ステップＳ９０４において作成したヒストグラムを用いて、ステップＳ９００において読出した残存点数のすべてを販売し得る販売価格の最低値を検出する。最低値を検出値として検出すると、プロセスはステップＳ９０６に進む。
【０１２５】
ステップＳ９０６では、サーバ装置１２は、ステップＳ９０５において検出した検出値が、第１の情報登録処理において登録した第１の情報における変動範囲の下限を超えるか否かを判別する。超えるときには、プロセスはステップＳ９０７に進む。超えないときには、プロセスはステップＳ９０８に進む。
【０１２６】
ステップＳ９０７では、サーバ装置１２は、最低販売価格を、ステップＳ９０５において検出した検出値に置換する。検出値に置換すると、第４の自動調整処理を終了する。
【０１２７】
ステップＳ９０８では、サーバ装置１２は、最低販売価格を、第１の情報登録処理において登録した第１の情報における変動範囲の下限に置換する。下限に置換すると、第４の自動調整を終了する。
【０１２８】
以上のような構成の本実施形態のサーバ装置によれば、新規な電子商取引方法を提供可能である。サーバ装置により提供される新規な電子商取引方法によれば、例えば以下に説明するような具体的な効果により、販売単価の最大化を目指しながら、商品毎の売上点数を高くすることが可能である。
【０１２９】
すなわち、当該電子商取引方法では、購入希望者となるユーザに値引き交渉をする感覚を覚えさせることが可能で、このような値引き交渉により購買意欲の増加に寄与させることが可能である。さらに、当該電子商取引では、提示した購入価格で購入する権利を付与し、その行使を強制しないので、ユーザに気軽に購入価格の提示を促し、販売機会を得ることが可能である。また、当該電子商取引方法によれば、販売者の最低販売価格が購入希望者に表示されないので、他の販売者に対する競争力の低下を防ぐことが可能である。また、最低販売価格を必要以上に低く設定しなければ、利益の極端な低下およびブランドイメージの低下を防ぐことが可能である。また、当該電子商取引方法によれば、上述のような効果を得ながら、同一品種の大量販売に寄与可能である。また、当該電子商取引方法によれば、購入を早期に確定させることが可能なので、ネットオークションなどに比べて購入確定までの待ち時間を短縮化可能である。
【０１３０】
また、本実施形態のサーバ装置によれば、マーケット情報を容易に収集可能である。このようなマーケット情報は、従来では、街頭またはネットなどにおけるアンケートの実施や実際の販売データを基に作成する必要があり、その作成には労力およびコストが係ることが一般的である。しかし、本実施形態では、上述のように、サーバ装置１２が自動的に収集し、作成するので、このような労力およびコストを大幅に低減化可能である。
【０１３１】
また、本実施形態のサーバ装置によれば、ユーザが提示した購入価格の中で最低販売価格を越えた最安値で当該商品を購入する権利が得られるので、ユーザに購入価格の提示に対する心理的不安を除去することが可能である。したがって、ユーザが気軽に購入価格の提示が可能になり、販売ＷＥＢサイトへのユーザの興味を引くことが可能である。
【０１３２】
また、本実施形態のサーバ装置によれば、ユーザに付与した商品を購入する権利を残存点数が０になるときに消失させるので、権利を保留しているユーザの焦燥感を覚えさせ、権利を行使する可能性を高めることが可能である。
【０１３３】
また、本実施形態のサーバ装置によれば、販売者が販売期間を第１の情報として登録可能である。販売期間の長短により、販売機会およびユーザに与える購入意欲などが変動する。このような販売期間の長短による影響は、商品毎に異なる。そこで、本実施形態では、販売者に販売期間の設定に対して自由を与えることが可能である。
【０１３４】
また、本実施形態のサーバ装置によれば、ユーザによる購入価格の提示回数の上限を第１の情報として登録可能である。提示回数の上限を大きくすると、提示される購入価格が最低販売価格に近付く、また、提示回数の上限を小さくすると、ユーザに与える歓楽感が低下する。このような提示回数の上限回数の影響は、商品毎に異なる。そこで、本実施形態では、販売者に提示価格の上限の設定に対して自由を与えることが可能である。
【０１３５】
また、本実施形態のサーバ装置によれば、販売者による第１の情報の登録後に、最低販売価格の変更登録が可能である。最低販売価格の変更登録により、例えばマーケット情報に基づいて、販売者は最終利益および／または最終在庫を目標に近付けることが可能である。
【０１３６】
また、本実施形態のサーバ装置によれば、マーケット情報に基づいて最低販売価格の自動調整が可能である。したがって、販売者の利益または在庫に対する目標に沿った調整方法を選択することにより、最終利益および／または最終在庫を目標に近付けることが可能である。
【０１３７】
また、本実施形態のサーバ装置によれば、最低販売価格の自動調整を実行するときの価格の変動範囲を定めることが可能である。したがって、販売者の意図に反した価格を最低販売価格に調整することを防止可能である。
【０１３８】
本発明を諸図面や実施形態に基づき説明してきたが、当業者であれば本開示に基づき種々の変形や修正を行うことが容易であることに注意されたい。従って、これらの変形や修正は本発明の範囲に含まれることに留意されたい。
【符号の説明】
【０１３９】
１０  情報通信システム
１１  通信ネットワーク
１２  サーバ装置
１３  ユーザ端末
１４  基地局
１５  登録ページ
１６  登録ボタンアイコン
１７  ＩＤ欄
１８  商品名欄
１９  紹介文欄
２０  写真登録欄
２１  希望小売価格欄
２２  最低販売価格欄
２３  調整方法欄
２４  変動範囲欄
２５  販売期間欄
２６  商品点数欄
２７  提示回数欄
２８  第１のキャンペーン実行欄
２９  キャンペーン価格範囲欄
３０  販売個数欄
３１  実施期間欄
３２  第２のキャンペーン実行欄
３３  キャンペーン価格欄
３４  提供数欄
３５  実施期間欄
３６  商品リストページ
３７  写真
３８  商品名
３９  販売期間
４０  購入権情報
４１  購入ボタンアイコン
４２  提示回数情報
４３  ＨＯＷ  ＭＵＣＨボタンアイコン
４４  第１のＷＥＢページ
４５  ＩＤ
４６  紹介文
４７  希望小売価格
４８  購入価格欄
４９  提示ボタンアイコン
５０  残存点数
５１  結果発表ページ
５２  戻るボタンアイコン
５３  結果発表情報
５４  購入確定ページ
５５  注文番号
５６  受付日時
５７  購入数量
５８  購入価格
５９  購入者氏名欄
６０  送付先住所欄
６１  電話番号欄
６２  支払い方法欄
６３  確定ボタンアイコン
６４  戻るボタンアイコン
【図１】
0005602193.tif 000002
【図２】
0005602193.tif 000003
【図３】
0005602193.tif 000004
【図４】
0005602193.tif 000005
【図５】
0005602193.tif 000006
【図６】
0005602193.tif 000007
【図７】
0005602193.tif 000008
【図８】
0005602193.tif 000009
【図９】
0005602193.tif 000010
【図１０】
0005602193.tif 000011
【図１１】
0005602193.tif 000012
【図１２】
0005602193.tif 000013
【図１３】
0005602193.tif 000014
【図１４】
0005602193.tif 000015
【図１５】
0005602193.tif 000016